(57)【特許請求の範囲】
【請求項１】
広げた状態で、平面視で四角形をなし、その一辺の中央部から中心部に向かって形成された切り込みを有し、一方の面が清潔域に臨む面、他方の面が不潔域に臨む面として使用され、予め前記四角形のいずれか１つの頂点を含む角部が一番外側に位置するように複数回折り畳まれたドレープの製造方法であって、
前記一方の面が内側になるとともに、前記一方の面が露出しないように、広げた状態の前記ドレープを折り畳む１回目の折り畳みステップと、
前記１回目の折り畳みステップで折り畳まれた前記ドレープを折り畳む２回目の折り畳みステップとを含み、
前記１回目の折り畳みステップと前記２回目の折り畳みステップとの少なくとも一方は、前記切り込みの方向に対して垂直な方向に折り目が付くように前記ドレープを折り畳むステップであることを特徴とするドレープの製造方法。
【請求項２】
前記角部が一番外側に位置した状態で、前記一方の面が外側に露出するように前記角部のみを折り曲げることにより、前記角部に把持部を形成するステップをさらに含む請求項１に記載のドレープの製造方法。
【請求項３】
前記把持部を形成する前記角部は、前記中央部を有する前記一辺にある角部である請求項２に記載のドレープの製造方法。
【請求項４】
前記１回目の折り畳みステップおよび前記２回目の折り畳みステップは、それぞれ、２つ折りするステップである請求項１ないし３のいずれかに記載のドレープの製造方法。
【請求項５】
前記１回目の折り畳みステップもしくは前記２回目の折り畳みステップの一方は、前記切り込みの延長線上に折り目が位置するように折るステップであるか、または、
前記２回目の折り畳みステップで折り畳まれた前記ドレープを前記切り込みの延長線上に折り目が位置するように折るステップをさらに含む請求項１ないし４のいずれかに記載のドレープの製造方法。
【請求項６】
前記ドレープは、前記他方の面に、防水層を有する請求項１ないし５のいずれかに記載のドレープの製造方法。
【請求項７】
広げた状態で、前記切り込みの方向をＹ軸方向、前記切り込みの方向に対して垂直な方向をＸ軸方向としたとき、
前記１回目の折り畳みステップは、前記Ｙ軸方向に折り目が付くように２つ折りするステップであり、
前記２回目の折り畳みステップは、前記Ｘ軸方向に折り目が付くようにさらに２つ折りするステップであり、
前記２回目の折り畳みステップで付けられた前記折り目を境界とする２つの部位のうちの一方の部位を前記Ｘ軸方向に折り目が付くようにさらに２つ折りする３回目の折り畳みステップと、
前記２回目の折り畳みステップで付けられた前記折り目を境界とする２つの部位のうちの他方の部位を前記Ｘ軸方向に折り目が付くようにさらに２つ折りする４回目の折り畳みステップと、
前記３回目の折り畳みステップおよび前記４回目の折り畳みステップで折り畳まれた前記ドレープを前記Ｙ軸方向に折り目が付くようにさらに２つ折りする５回目の折り畳みステップとをさらに含む請求項１ないし６のいずれかに記載のドレープの製造方法。
【請求項８】
前記３回目の折り畳みステップは、前記２回目の折り畳みステップで付けられた前記折り目を境界とする２つの部位のうちの前記一方の部位の表面が谷となるように谷折りするステップであり、
前記４回目の折り畳みステップは、前記２回目の折り畳みステップで付けられた前記折り目を境界とする２つの部位のうちの前記他方の部位の表面が谷となるように谷折りするステップである請求項７に記載のドレープの製造方法。
【請求項９】
広げた状態で、前記切り込みの方向をＹ軸方向、前記切り込みの方向に対して垂直な方向をＸ軸方向としたとき、
前記１回目の折り畳みステップは、前記Ｘ軸方向に折り目が付くように２つ折りするステップであり、
前記２回目の折り畳みステップは、前記Ｘ軸方向に折り目が付くようにさらに２つ折りするステップであり、
前記２回目の折り畳みステップで折り畳まれた前記ドレープを前記Ｙ軸方向に折り目が付くようにさらに２つ折りする３回目の折り畳みステップと、
前記３回目の折り畳みステップで折り畳まれた前記ドレープを前記Ｙ軸方向に折り目が付くようにさらに２つ折りする４回目の折り畳みステップとをさらに含む請求項１ないし６のいずれかに記載のドレープの製造方法。
【請求項１０】
広げた状態で、前記切り込みの方向をＹ軸方向、前記切り込みの方向に対して垂直な方向をＸ軸方向としたとき、
前記１回目の折り畳みステップは、前記Ｘ軸方向に折り目が付くように２つ折りするステップであり、
前記２回目の折り畳みステップは、前記Ｙ軸方向に折り目が付くようにさらに２つ折りするステップであり、
前記２回目の折り畳みステップで付けられた前記折り目を境界とする２つの部位のうちの一方の部位を前記Ｙ軸方向に折り目が付くようにさらに２つ折りする３回目の折り畳みステップと、
前記２回目の折り畳みステップで付けられた前記折り目を境界とする２つの部位のうちの他方の部位を前記Ｙ軸方向に折り目が付くようにさらに２つ折りする４回目の折り畳みステップと、
前記３回目の折り畳みステップおよび前記４回目の折り畳みステップで折り畳まれた前記ドレープを前記Ｘ軸方向に折り目が付くようにさらに２つ折りする５回目の折り畳みステップとをさらに含む請求項１ないし６のいずれかに記載のドレープの製造方法。
【請求項１１】
前記３回目の折り畳みステップは、前記２回目の折り畳みステップで付けられた前記折り目を境界とする２つの部位のうちの前記一方の部位の表面が谷となるように谷折りするステップであり、
前記４回目の折り畳みステップは、前記２回目の折り畳みステップで付けられた前記折り目を境界とする２つの部位のうちの前記他方の部位の表面が谷となるように谷折りするステップである請求項１０に記載のドレープの製造方法。
【発明の詳細な説明】
【技術分野】
【０００１】
本発明は、ドレープの製造方法に関するものである。
【背景技術】
【０００２】
患者に外科手術（例えば、カテーテルによる手術）を施すとき、通常、その患者の身体をドレープで覆う。また、腹膜透析法、特に連続的携帯式腹膜透析法（continuous ambulatory peritoneal dialysis：ＣＡＰＤ）においても、患者の腹部をドレープで覆う。この腹膜透析に用いられるドレープには、カテーテル等を挿入するための切り込みが形成されている。
【０００３】
このようなドレープは、一方の面が清潔域に臨む面として使用される。また、ドレープは、その収納スペースを小さくするために、複数回折り畳まれて保管されており、使用時に広げられる（例えば、非特許文献１参照）。
【０００４】
しかしながら、従来のドレープに施されている折り畳み方では、ドレープを広げる際、切り込みが邪魔になり、片手で広げることが困難である。このため、ドレープを両手で広げる必要があり、手間がかかり、また、ドレープを両手で把持することで、前記清潔域に臨む面に不必要に接触してしまうという欠点がある。
【先行技術文献】
【非特許文献】
【０００５】
【非特許文献１】コンパクト交換トレイ操作手順（Ｂａｘｔｅｒ）（バクスター株式会社）
【発明の概要】
【発明が解決しようとする課題】
【０００６】
本発明の目的は、使用の際に容易に広げることができるように折り畳まれたドレープの製造方法を提供することにある。
【課題を解決するための手段】
【０００７】
このような目的は、下記（１）〜（１１）の本発明により達成される。
（１）  広げた状態で、平面視で四角形をなし、その一辺の中央部から中心部に向かって形成された切り込みを有し、一方の面が清潔域に臨む面、他方の面が不潔域に臨む面として使用され、予め前記四角形のいずれか１つの頂点を含む角部が一番外側に位置するように複数回折り畳まれたドレープの製造方法であって、
前記一方の面が内側になるとともに、前記一方の面が露出しないように、広げた状態の前記ドレープを折り畳む１回目の折り畳みステップと、
前記１回目の折り畳みステップで折り畳まれた前記ドレープを折り畳む２回目の折り畳みステップとを含み、
前記１回目の折り畳みステップと前記２回目の折り畳みステップとの少なくとも一方は、前記切り込みの方向に対して垂直な方向に折り目が付くように前記ドレープを折り畳むステップであることを特徴とするドレープの製造方法。
【０００８】
（２）  前記角部が一番外側に位置した状態で、前記一方の面が外側に露出するように前記角部のみを折り曲げることにより、前記角部に把持部を形成するステップをさらに含む上記（１）に記載のドレープの製造方法。
【０００９】
（３）  前記把持部を形成する前記角部は、前記中央部を有する前記一辺にある角部である上記（２）に記載のドレープの製造方法。
【００１０】
（４）  前記１回目の折り畳みステップおよび前記２回目の折り畳みステップは、それぞれ、２つ折りするステップである上記（１）ないし（３）のいずれかに記載のドレープの製造方法。
【００１２】
（５）  前記１回目の折り畳みステップもしくは前記２回目の折り畳みステップの一方は、前記切り込みの延長線上に折り目が位置するように折るステップであるか、または、
前記２回目の折り畳みステップで折り畳まれた前記ドレープを前記切り込みの延長線上に折り目が位置するように折るステップをさらに含む上記（１）ないし（４）のいずれかに記載のドレープの製造方法。
【００１３】
（６）  前記ドレープは、前記他方の面に、防水層を有する上記（１）ないし（５）のいずれかに記載のドレープの製造方法。
【００１４】
（７）  広げた状態で、前記切り込みの方向をＹ軸方向、前記切り込みの方向に対して垂直な方向をＸ軸方向としたとき、
前記１回目の折り畳みステップは、前記Ｙ軸方向に折り目が付くように２つ折りするステップであり、
前記２回目の折り畳みステップは、前記Ｘ軸方向に折り目が付くようにさらに２つ折りするステップであり、
前記２回目の折り畳みステップで付けられた前記折り目を境界とする２つの部位のうちの一方の部位を前記Ｘ軸方向に折り目が付くようにさらに２つ折りする３回目の折り畳みステップと、
前記２回目の折り畳みステップで付けられた前記折り目を境界とする２つの部位のうちの他方の部位を前記Ｘ軸方向に折り目が付くようにさらに２つ折りする４回目の折り畳みステップと、
前記３回目の折り畳みステップおよび前記４回目の折り畳みステップで折り畳まれた前記ドレープを前記Ｙ軸方向に折り目が付くようにさらに２つ折りする５回目の折り畳みステップとをさらに含む上記（１）ないし（６）のいずれかに記載のドレープの製造方法。
【００１５】
（８）  前記３回目の折り畳みステップは、前記２回目の折り畳みステップで付けられた前記折り目を境界とする２つの部位のうちの前記一方の部位の表面が谷となるように谷折りするステップであり、
前記４回目の折り畳みステップは、前記２回目の折り畳みステップで付けられた前記折り目を境界とする２つの部位のうちの前記他方の部位の表面が谷となるように谷折りするステップである上記（７）に記載のドレープの製造方法。
【００１６】
（９）  広げた状態で、前記切り込みの方向をＹ軸方向、前記切り込みの方向に対して垂直な方向をＸ軸方向としたとき、
前記１回目の折り畳みステップは、前記Ｘ軸方向に折り目が付くように２つ折りするステップであり、
前記２回目の折り畳みステップは、前記Ｘ軸方向に折り目が付くようにさらに２つ折りするステップであり、
前記２回目の折り畳みステップで折り畳まれた前記ドレープを前記Ｙ軸方向に折り目が付くようにさらに２つ折りする３回目の折り畳みステップと、
前記３回目の折り畳みステップで折り畳まれた前記ドレープを前記Ｙ軸方向に折り目が付くようにさらに２つ折りする４回目の折り畳みステップとをさらに含む上記（１）ないし（６）のいずれかに記載のドレープの製造方法。
【００１７】
（１０）  広げた状態で、前記切り込みの方向をＹ軸方向、前記切り込みの方向に対して垂直な方向をＸ軸方向としたとき、
前記１回目の折り畳みステップは、前記Ｘ軸方向に折り目が付くように２つ折りするステップであり、
前記２回目の折り畳みステップは、前記Ｙ軸方向に折り目が付くようにさらに２つ折りするステップであり、
前記２回目の折り畳みステップで付けられた前記折り目を境界とする２つの部位のうちの一方の部位を前記Ｙ軸方向に折り目が付くようにさらに２つ折りする３回目の折り畳みステップと、
前記２回目の折り畳みステップで付けられた前記折り目を境界とする２つの部位のうちの他方の部位を前記Ｙ軸方向に折り目が付くようにさらに２つ折りする４回目の折り畳みステップと、
前記３回目の折り畳みステップおよび前記４回目の折り畳みステップで折り畳まれた前記ドレープを前記Ｘ軸方向に折り目が付くようにさらに２つ折りする５回目の折り畳みステップとをさらに含む上記（１）ないし（６）のいずれかに記載のドレープの製造方法。
【００１８】
（１１）  前記３回目の折り畳みステップは、前記２回目の折り畳みステップで付けられた前記折り目を境界とする２つの部位のうちの前記一方の部位の表面が谷となるように谷折りするステップであり、
前記４回目の折り畳みステップは、前記２回目の折り畳みステップで付けられた前記折り目を境界とする２つの部位のうちの前記他方の部位の表面が谷となるように谷折りするステップである上記（１０）に記載のドレープの製造方法。
【発明の効果】
【００１９】
本発明によれば、ドレープは、広げた状態から１回目の折り畳みと２回目の折り畳みとの少なくとも一方で、切り込みの方向に対して垂直な方向に折り目が付くように折られているので、ドレープを広げる際、片手で、容易かつ確実に広げることができる。
【図面の簡単な説明】
【００２０】
【図１】本発明のドレープの製造方法の第１実施形態におけるドレープを示す平面図である。
【図２】図１に示すドレープを広げた状態を示す平面図である。
【図３】図１に示すドレープを折り畳む際の手順を説明するための平面図（一部斜視図を含む）である。
【図４】本発明のドレープの製造方法の第２実施形態において、そのドレープを広げた状態を示す平面図である。
【図５】図４に示すドレープを折り畳む際の手順を説明するための平面図である。
【図６】本発明のドレープの製造方法の第３実施形態において、そのドレープを広げた状態を示す平面図である。
【図７】図６に示すドレープを折り畳む際の手順を説明するための平面図（一部斜視図を含む）である。
【発明を実施するための形態】
【００２１】
以下、本発明のドレープの製造方法を添付図面に示す好適な実施形態に基づいて詳細に説明する。
＜第１実施形態＞
図１は、本発明のドレープの製造方法の第１実施形態におけるドレープを示す平面図、図２は、図１に示すドレープを広げた状態を示す平面図、図３は、図１に示すドレープを折り畳む際の手順を説明するための平面図（一部斜視図を含む）である。
【００２２】
なお、以下では、図１〜図３中の上側を「上」、下側を「下」、左側を「左」、右側を「右」として説明を行う。また、図１〜図３において、ドレープを広げた状態で切り込みの方向がＹ軸方向となる互いに直交するＸ軸およびＹ軸を想定し、図示する。また、図２では、切り込みを誇張して太線で図示する。
【００２３】
図１〜図３に示すドレープ１は、可撓性を有し、シート状をなしており、図１に示すように、複数回折り畳まれ、その折り畳まれた状態で保管されるものである。また、ドレープ１は、本実施形態では、例えば、腹膜透析の際に用いられるものである。
【００２４】
このドレープ１は、広げた状態、すなわち展開した状態で使用される。また、ドレープ１は、その一方の面が清潔域に臨む面として使用され、他方の面が、不潔域に臨む面として使用される。以下では、ドレープ１の清潔域に臨む面を「清潔面」、ドレープ１の不潔域に臨む面を「不潔面」とも言う。また、ドレープ１が折り畳まれた状態を単に「折り畳まれた状態」、ドレープ１を広げた状態を単に「広げた状態」とも言う。
【００２５】
なお、ドレープ１は、その不潔面が患者に対して近位、すなわち患者に対して対面し、清潔面が患者に対して遠位となるように患者にかけて使用される。
【００２６】
広げた状態でのドレープ１の形状は、平面視で、四角形をなし、本実施形態では、正方形をなしている。なお、前記広げた状態でのドレープ１の形状は、正方形に限定されず、平面視で、例えば、長方形等であってもよい。
【００２７】
折り畳まれた状態でのドレープ１の形状は、平面視で、四角形をなし、本実施形態では、正方形をなしている。なお、前記折り畳まれた状態でのドレープ１の形状は、正方形に限定されず、平面視で、例えば、長方形等であってもよく、また、三角形等であってもよい。
【００２８】
また、ドレープ１には、把持部３が設けられている。この把持部３は、折り畳まれた状態のドレープ１を広げる際に把持される部位である。把持部３は、広げた状態で、ドレープ１の角部、すなわち、正方形のいずれか１つの頂点を含む角部により構成されている。また、把持部３は、本実施形態では、平面視で、三角形をなしている。
【００２９】
また、ドレープ１には、切り込み２が形成されている。この切り込み２は、ドレープ１を患者にかける際、例えば、患者に接続されたカテーテル等をその切り込み２に入れるためのものである。これにより、前記カテーテルが邪魔にならないように、ドレープ１を患者にかけることができる。
【００３０】
切り込み２の形状、寸法、位置等は、特に限定されないが、本実施形態では、切り込み２は、直線状をなしている。また、切り込み２は、ドレープ１を広げた状態で、ドレープ１の一辺の中央から中心に向って形成されている。本実施形態では、切り込み２は、ドレープ１を広げた状態で、把持部３を形成する角部のある辺の中央から中心に向かって形成されている。また、切り込み２は、ドレープ１の中心の手前まで形成されている。
【００３１】
切り込み２が把持部３を形成する角部のある辺に形成されていることにより、把持部３を把持して折り畳まれた状態のドレープ１を広げた後、その把持部３を把持したまま、患者に接続されたカテーテルを切り込み２に入れつつ、ドレープ１を患者にかけることができる。
【００３２】
また、切り込み２がドレープ１の中心の手前まで形成されていることにより、折り畳まれた状態のドレープ１を広げる際、その切り込み２が邪魔になり難くなり、容易かつ確実にドレープ１を広げることができる。また、切り込み２がドレープ１の中心を越えるまで形成されている場合に比べて、ドレープ１の折り畳みを容易かつ迅速に行うことができる。
【００３３】
また、切り込み２は、３ｃｍを下限として形成されていることが好ましい。これにより、切り込み２に前記カテーテルを確実に入れることができる。
【００３４】
なお、切り込み２は、ドレープ１の中心を越えるまで形成されていてもよいが、中心までを上限として形成されていることが好ましく、中心の手前まで形成されていることがより好ましい。また、切り込み２は、把持部３を形成する角部のない辺に形成されていてもよい。また、切り込み２としては、例えば、Ｖ字状、Ｉ字状等の切り欠きであってもよい。
【００３５】
また、ドレープ１の構成材料としてとしては、特に限定されないが、可撓性を有するもの、例えば、不織布を用いるのが好ましい。この不織布は、その構成材料として、例えば、アラミド繊維、ガラス繊維、セルロース繊維、ナイロン繊維、ビニロン繊維、ポリエステル繊維、ポリオレフィン繊維、レーヨン繊維が挙げられ、これらのうちの１種または２種以上を混合したものを用いることができる。
【００３６】
また、ドレープ１の一方の面、すなわち、清潔面１１には、親水処理が施されているのが好ましい。これにより、透析液や生理食塩水、消毒液等の液体を吸収することができ、よって、例えば、この液体により手元が滑りやすくなり手術が行われ難くなるのを防止したり、液体が床面に飛散して床面を汚染するのを防止することができる。
【００３７】
また、ドレープ１は、清潔面１１と反対側の面、すなわち、不潔面側に、防水層７を有している（図３（ｅ）参照）。この防水層７の表面が不潔面である。これにより、透析液や生理食塩水、消毒液等の液体がドレープ１を透過してしまうことを防止することができ、よって、例えば、この液体が患者の衣服等に付着してしまうのを防止することができる。防水層７の構成材料としては、防水機能を有するものであれば特に限定されず、例えば、ポリエチレンやポリエチレンテレフタレート等の合成樹脂が挙げられる。
【００３８】
このようなドレープ１の広げた状態での寸法は、特に限定されないが、一辺の長さが、１５〜１００ｃｍであることが好ましく、２０〜７０ｃｍであることがより好ましい。
【００３９】
また、ドレープ１の折り畳まれた状態での寸法は、特に限定されないが、一辺の長さが、５〜４０ｃｍであることが好ましく、７〜２０ｃｍであることがより好ましい。
【００４０】
次に、図３に基づいて、ドレープ１の折り畳み方法、すなわちドレープ１がどのように折り畳まれてその折り畳み状態になっているのかについて説明する。
【００４１】
なお、図３では、ドレープ１を広げた状態で、切り込み２の方向をＹ軸方向、切り込み２の方向に対して垂直な方向をＸ軸方向とする。また、図３では、ドレープ１の折り目の山折りを一点鎖線で示し、谷折りを破線で示す。また、図３では、ドレープ１を折り畳む際、変位させる側の部位に斜線を施す。また、図３（ａ）〜図３（ｈ）の縮尺は、一定ではない。
【００４２】
まず、図３（ａ）に示すように、折り目が付いていない広げた状態のドレープ１を図示しない所定の作業台上に載置する。この場合、ドレープ１の不潔面が作業台に対面し、清潔面１１がその逆側を向き、作業台に接触しないようする。
【００４３】
［広げた状態から１回目の折り畳み］
次に、図３（ｂ）に示すように、ドレープ１をその清潔面１１が内側になるように２つに折り畳む。この場合、ドレープ１の図３（ｂ）中左側の部位５１を変位させて、Ｙ軸方向に折り目４１が付くように、谷折りにする。これにより、切り込み２の延長線上に折り目４１が形成される。
【００４４】
また、前記ドレープ１を２つ折りにする際は、その２つに折られてなる２つの部位同士が完全に重なるようにする。これにより、清潔面１１が露出しなくなる。
【００４５】
なお、以降の各２つ折りについても、それぞれ、２つに折られてなる２つの部位同士が完全に重なるようにする。
【００４６】
このように、ドレープ１は、広げた状態から１回目の折り畳みでは、清潔面１１が内側になるように折られている。これにより、ドレープ１を折り畳む際、その１回目の折り畳みにおいて、清潔面１１が作業台に接触してしまうことを防止することができ、また、後述するように、角部のみを折り曲げて把持部３が形成されるまで、清潔面１１が露出しなくなるので、清潔面１１を清潔に保ったまま、ドレープ１を折り畳むことができる。
【００４７】
また、折り畳まれたドレープ１を広げる際は、把持部３を除いて、最後に清潔面１１が露出するので、ドレープ１を使用するまで、把持部３の部分を除く清潔面１１の大部分を清潔に保つことができる。
【００４８】
［広げた状態から２回目の折り畳み］
次に、図３（ｃ）に示すように、ドレープ１をさらに２つに折り畳む。この場合、ドレープ１の図３（ｃ）中下側の部位５２を変位させて、Ｘ軸方向に折り目４２が付くように、谷折りにする。
【００４９】
このように、ドレープ１は、広げた状態から２回目の折り畳みでは、切り込み２の方向に対して垂直な方向に折り目４２が付くように折られている。これにより、折り畳まれたドレープ１を広げる際、片手で、容易かつ確実に広げることができる。
【００５０】
［広げた状態から３回目の折り畳み］
次に、図３（ｄ）に示すように、前記２回目の折り畳みで２つに折られてなる２つの部位６１、６２（図３（ｃ）参照）のうち、図３（ｄ）中の紙面に対して表側の部位６１をさらに２つに折り畳む。この場合、前記表側の部位６１の図３（ｄ）中上側の部位６１１を変位させて、Ｘ軸方向に折り目４３が付くように、図３（ｄ）中の紙面に対して表側から見た状態で谷折りにする。言い換えれば、前記表側の部位６１は、その表面、すなわち、図３（ｄ）中の紙面に対して表側の面が谷となるように谷折りされる。
【００５１】
［広げた状態から４回目の折り畳み］
次に、前記２回目の折り畳みで２つに折られてなる２つの部位６１、６２（図３（ｃ）参照）のうち、図３（ｄ）中の紙面に対して裏側の部位６２をさらに２つに折り畳む。この場合、前記３回目の折り畳みと同様、図３（ｅ）に示すように、前記裏側の部位６２の図３（ｄ）、（ｅ）中上側の部位６２１を変位させて、Ｘ軸方向に折り目４４が付くように、図３（ｄ）中の紙面に対して裏側から見た状態で谷折りにする。言い換えれば、前記裏側の部位６２は、その表面、すなわち、図３（ｄ）中の紙面に対して裏側の面が谷となるように谷折りされる。
【００５２】
これにより、図３（ｅ）中左側から見たとき、ドレープ１は、Ｍ字状に折り畳まれたこととなる。
なお、この４回目の折り畳みと、前記３回目の折り畳みとは、順序を逆にしてもよい。
【００５３】
［広げた状態から５回目の折り畳み］
次に、図３（ｆ）に示すように、ドレープ１をさらに２つに折り畳む。この場合、ドレープ１の図３（ｆ）中右側の部位５３を変位させて、Ｙ軸方向に折り目４５が付くように、谷折りにする。
なお、この状態では、前記角部のひとつが一番外側に位置している。
【００５４】
［把持部３の形成］
次に、図３（ｇ）に示すように、ドレープ１の図３（ｇ）中の紙面に対して表側の１枚の部分の角部のみを三角形になるように折り曲げて、把持部３を形成する。この場合、ドレープ１の図３（ｇ）中の紙面に対して表側の１枚の部分の左下の部位５４を変位させて、Ｘ軸を傾斜角度０°としたときの傾斜角度−４５°の方向に折り目４６が付くように、谷折りにする。このように、一番外側に位置した角部のみを、清潔面が露出するように折り曲げることにより、把持部３が形成される。
【００５５】
以上により、図３（ｈ）に示すように、把持部３を形成する角部が一番外側に位置するように、ドレープ１が折り畳まれる。
【００５６】
この折り畳まれたドレープ１に対しては、その折り癖、すなわち各折り目が確実に形成されるように所定の処理を行うことが好ましい。この処置としては、例えば、折り畳まれたドレープ１に対し、所定の錘を載せること等が挙げられる。
【００５７】
このように折り畳まれたドレープ１は、例えば、所定の容器等に収納されて保存され、必要時に、その容器から取り出され、広げて使用される。この折り畳まれたドレープ１を広げる際は、片方の手指で把持部３を把持し、ドレープ１を引き上げる。この際、必要に応じて、数回、ドレープ１を上下に振る。これにより、ドレープ１は、確実に広がることができる。
【００５８】
このように、ドレープ１は、前記のように折り畳まれているので、それを広げる際、一番外側に位置した把持部３を片手で容易に把持することができ、また、切り込み２が邪魔にならず、片手で、容易かつ確実に広げることができる。
【００５９】
また、最後に一番外側に位置した角部を折り曲げて把持部３を形成するため、最後に把持部３を形成するまで、清潔面１１を清潔に保ったまま、ドレープ１を折り畳むことができる。
【００６０】
なお、本実施形態のドレープは、広げた状態から１回目の折り畳みでは、切り込み２の方向に折り目が付くように折られ、２回目の折り畳みでは、切り込み２の方向に対して垂直な方向に折り目が付くように折られ、３回目以降は前述のよう折り畳まれているが、本発明のドレープは、広げた状態から１回目の折り畳みと２回目の折り畳みとの少なくとも一方において、切り込み２の方向に対して垂直な方向に折り目が付くように折られ、四角形のいずれか１つの頂点を含む角部が一番外側に位置するように複数回折り畳まれていればよい。
【００６１】
＜第２実施形態＞
図４は、本発明のドレープの製造方法の第２実施形態において、そのドレープを広げた状態を示す平面図、図５は、図４に示すドレープを折り畳む際の手順を説明するための平面図である。
【００６２】
なお、以下では、図４および図５中の上側を「上」、下側を「下」、左側を「左」、右側を「右」として説明を行う。また、図４および図５において、ドレープを広げた状態で切り込みの方向がＹ軸方向となる互いに直交するＸ軸およびＹ軸を想定し、図示する。また、図４では、切り込みを誇張して太線で図示する。
【００６３】
以下、第２実施形態について、前述した第１実施形態との相違点を中心に説明し、同様の事項については、その説明を省略する。
【００６４】
図４および図５に示す第２実施形態のドレープ１は、その折り畳みが異なること以外は第１実施形態と同様である。
【００６５】
以下、図５に基づいて、ドレープ１の折り畳み方法、すなわちドレープ１がどのように折り畳まれてその折り畳み状態になっているのかについて説明する。
【００６６】
なお、図５では、ドレープ１を広げた状態で、切り込み２の方向をＹ軸方向、切り込み２の方向に対して垂直な方向をＸ軸方向とする。また、図５では、ドレープ１の折り目の山折りを一点鎖線で示し、谷折りを破線で示す。また、図５では、ドレープ１を折り畳む際、変位させる側の部位に斜線を施す。また、図５（ａ）〜図５（ｇ）の縮尺は、一定ではない。
【００６７】
まず、図５（ａ）に示すように、折り目が付いていない広げた状態のドレープ１を図示しない所定の作業台上に載置する。この場合、ドレープ１の不潔面が作業台に対面し、清潔面１１がその逆側を向き、作業台に接触しないようする。
【００６８】
［広げた状態から１回目の折り畳み］
次に、図５（ｂ）に示すように、ドレープ１をその清潔面１１が内側になるように２つに折り畳む。この場合、ドレープ１の図５（ｂ）中下側の部位９１を変位させて、Ｘ軸方向に折り目８１が付くように、谷折りにする。
【００６９】
また、前記ドレープ１を２つ折りにする際は、その２つに折られてなる２つの部位同士が完全に重なるようにする。これにより、清潔面１１が露出しなくなる。
【００７０】
なお、以降の各２つ折りについても、それぞれ、２つに折られてなる２つの部位同士が完全に重なるようにする。
【００７１】
［広げた状態から２回目の折り畳み］
次に、図５（ｃ）に示すように、ドレープ１をさらに２つに折り畳む。この場合、ドレープ１の図５（ｃ）中下側の部位９２を変位させて、Ｘ軸方向に折り目８２が付くように、谷折りにする。
【００７２】
このように、ドレープ１は、広げた状態から前記１回目の折り込みおよび２回目の折り畳みでは、それぞれ、切り込み２の方向に対して垂直な方向に折り目８１、８２が付くように折られている。
【００７３】
［広げた状態から３回目の折り畳み］
次に、図５（ｄ）に示すように、ドレープ１をさらに２つに折り畳む。この場合、ドレープ１の図５（ｄ）中右側の部位９３を変位させて、Ｙ軸方向に折り目８３が付くように、谷折りにする。これにより、切り込み２の延長線上に折り目８３が形成される。
【００７４】
［広げた状態から４回目の折り畳み］
次に、図５（ｅ）に示すように、ドレープ１をさらに２つに折り畳む。この場合、ドレープ１の図５（ｅ）中左側の部位９４を変位させて、Ｙ軸方向に折り目８４が付くように、谷折りにする。
【００７５】
［把持部３の形成］
次に、図５（ｆ）に示すように、ドレープ１の図５（ｆ）中の紙面に対して表側の１枚の部分の角部のみを三角形になるように折り曲げて、把持部３を形成する。この場合、ドレープ１の図５（ｆ）中の紙面に対して表側の１枚の部分の右上の部位９５を変位させて、Ｘ軸を０°としたときの−４５°の方向に折り目８５が付くように、谷折りにする。
以上により、図５（ｇ）に示すように、ドレープ１が折り畳まれる。
このドレープ１によれば、前述した第１実施形態と同様の効果が得られる。
【００７６】
＜第３実施形態＞
図６は、本発明のドレープの製造方法の第３実施形態において、そのドレープを広げた状態を示す平面図、図７は、図６に示すドレープを折り畳む際の手順を説明するための平面図（一部斜視図を含む）である。
【００７７】
なお、以下では、図６および図７中の上側を「上」、下側を「下」、左側を「左」、右側を「右」として説明を行う。また、図６および図７において、ドレープを広げた状態で切り込みの方向がＹ軸方向となる互いに直交するＸ軸およびＹ軸を想定し、図示する。また、図６では、切り込みを誇張して太線で図示する。
【００７８】
以下、第３実施形態について、前述した第１実施形態との相違点を中心に説明し、同様の事項については、その説明を省略する。
【００７９】
図６および図７に示す第３実施形態のドレープ１は、その折り畳みが異なること以外は第１実施形態と同様である。
【００８０】
以下、図７に基づいて、ドレープ１の折り畳み方法、すなわちドレープ１がどのように折り畳まれてその折り畳み状態になっているのかについて説明する。
【００８１】
なお、図７では、ドレープ１を広げた状態で、切り込み２の方向をＹ軸方向、切り込み２の方向に対して垂直な方向をＸ軸方向とする。また、図７では、ドレープ１の折り目の山折りを一点鎖線で示し、谷折りを破線で示す。また、図７では、ドレープ１を折り畳む際、変位させる側の部位に斜線を施す。また、図７（ａ）〜図７（ｈ）の縮尺は、一定ではない。
【００８２】
まず、図７（ａ）に示すように、折り目が付いていない広げた状態のドレープ１を図示しない所定の作業台上に載置する。この場合、ドレープ１の不潔面が作業台に対面し、清潔面１１がその逆側を向き、作業台に接触しないようする。
【００８３】
［広げた状態から１回目の折り畳み］
次に、図７（ｂ）に示すように、ドレープ１をその清潔面１１が内側になるように２つに折り畳む。この場合、ドレープ１の図７（ｂ）中下側の部位１３１を変位させて、Ｘ軸方向に折り目１２１が付くように、谷折りにする。
【００８４】
また、前記ドレープ１を２つ折りにする際は、その２つに折られてなる２つの部位同士が完全に重なるようにする。これにより、清潔面１１が露出しなくなる。
【００８５】
なお、以降の各２つ折りについても、それぞれ、２つに折られてなる２つの部位同士が完全に重なるようにする。
【００８６】
このように、ドレープ１は、広げた状態から１回目の折り畳みでは、切り込み２の方向に対して垂直な方向に折り目１２１が付くように折られている。
【００８７】
［広げた状態から２回目の折り畳み］
次に、図７（ｃ）に示すように、ドレープ１をさらに２つに折り畳む。この場合、ドレープ１の図７（ｃ）中右側の部位１３２を変位させて、Ｙ軸方向に折り目１２２が付くように、山折りにする。これにより、切り込み２の延長線上に折り目１２２が形成される。
【００８８】
［広げた状態から３回目の折り畳み］
次に、図７（ｄ）に示すように、前記２回目の折り畳みで２つに折られてなる２つの部位１４１、１４２（図７（ｃ）参照）のうち、図７（ｄ）中の紙面に対して表側の部位１４１をさらに２つに折り畳む。この場合、前記表側の部位１４１の図７（ｄ）中上側の部位１４１１を変位させて、Ｙ軸方向に折り目１２３が付くように、図７（ｄ）中の紙面に対して表側から見た状態で谷折りにする。言い換えれば、前記表側の部位１４１は、その表面、すなわち、図７（ｄ）中の紙面に対して表側の面が谷となるように谷折りされる。
【００８９】
［広げた状態から４回目の折り畳み］
次に、前記２回目の折り畳みで２つに折られてなる２つの部位１４１、１４２（図７（ｃ）参照）のうち、図７（ｄ）中の紙面に対して裏側の部位１４２をさらに２つに折り畳む。この場合、前記３回目の折り畳みと同様、図７（ｅ）に示すように、前記裏側の部位１４２の図７（ｄ）、（ｅ）中上側の部位１４２１を変位させて、Ｙ軸方向に折り目１２４が付くように、図７（ｄ）中の紙面に対して裏側から見た状態で谷折りにする。言い換えれば、前記裏側の部位１４２は、その表面、すなわち、図７（ｄ）中の紙面に対して裏側の面が谷となるように谷折りされる。
【００９０】
これにより、図７（ｅ）中下側から見たとき、ドレープ１は、Ｍ字状に折り畳まれたこととなる。
なお、この４回目の折り畳みと、前記３回目の折り畳みとは、順序を逆にしてもよい。
【００９１】
［広げた状態から５回目の折り畳み］
次に、図７（ｆ）に示すように、ドレープ１をさらに２つに折り畳む。この場合、ドレープ１の図７（ｆ）中下側の部位１３３を変位させて、Ｘ軸方向に折り目１２５が付くように、山折りにする。
【００９２】
［把持部３の形成］
次に、図７（ｇ）に示すように、ドレープ１の図７（ｇ）中の紙面に対して表側の１枚の部分の角部のみを三角形になるように折り曲げて、把持部３を形成する。この場合、ドレープ１の図７（ｇ）中の紙面に対して表側の１枚の部分の右上の部位１３４を変位させて、Ｘ軸を傾斜角度０°としたときの傾斜角度−４５°の方向に折り目１２６が付くように、谷折りにする。
以上により、図７（ｈ）に示すように、ドレープ１が折り畳まれる。
【００９３】
このドレープ１によれば、前述した第１実施形態と同様の効果が得られる。
以上、本発明のドレープの製造方法を、図示の実施形態に基づいて説明したが、本発明はこれに限定されるものではなく、各部の構成は、同様の機能を有する任意の構成のものに置換することができる。
【００９４】
また、本発明は、前記各実施形態のうちの、任意の２以上の構成（特徴）を組み合わせたものであってもよい。
【００９５】
なお、本発明のドレープは、腹膜透析の際に用いるものに限定されず、例えば、外科手術等の際に用いるものであってもよい。
また、本発明では、防水層が省略されていてもよい。
【符号の説明】
【００９６】
１              ドレープ
１１            清潔面
２              切り込み
３              把持部
４１〜４６      折り目
５１〜５４      部位
６１、６２      部位
６１１、６２１  部位
７              防水層
８１〜８５      折り目
９１〜９５      部位
１２１〜１２６  折り目
１３１〜１３４  部位
１４１、１４２  部位
１４１１、１４２１  部位
【図１】
0005864323.tif 000002
【図２】
0005864323.tif 000003
【図３】
0005864323.tif 000004
【図４】
0005864323.tif 000005
【図５】
0005864323.tif 000006
【図６】
0005864323.tif 000007
【図７】
0005864323.tif 000008